(57)【要約】【課題】二次弁のロック性能にバラツキが少ない、二次弁のロック組立て体、及びこのロック組立て体を組み込んだトリガー式ポンプディスペンサを提供する。【解決手段】ノズル３２と中空状ピストン３３とスピンナーアッセンブリ３４とから構成される二次弁３１の機能をロックするロック組立て体３０であって、ノズルのめねじ部３２ａが中空状ピストンの外周のおねじ部３３ａにねじ込まれ、スピンナーアッセンブリが中空状ピストンの中空部３３ｂ内に軸方向に移動可能に嵌め込まれ、スピンナーアッセンブリは、二次弁用ばね３６を介してスピンナー３５と二次弁用弁体３７が一体的に連結されて構成され、二次弁用弁体は中空状ピストンの先端部に形成された二次弁用弁座３３ｃに対向しており、二次弁用ばねは蛇行状に形成されており、この蛇行状に形成された対向する各部分には突起状の当接部３６ａを有する。【選択図】図９
2013111564.tif 000002
【特許請求の範囲】
【請求項１】
ノズルと中空状ピストンとスピンナーアッセンブリとから構成される二次弁の機能をロックするロック組立て体であって、
前記ノズルのめねじ部が前記中空状ピストンの外周のおねじ部にねじ込まれ、
前記スピンナーアッセンブリが前記中空状ピストンの中空部内に軸方向に移動可能に嵌め込まれ、
前記スピンナーアッセンブリは、二次弁用ばねを介してスピンナーと二次弁用弁体が一体的に連結されて構成され、
前記二次弁用弁体は前記中空状ピストンの先端部に形成された二次弁用弁座に対向しており、
前記二次弁用ばねは蛇行状に形成されており、この蛇行状に形成された対向する各部分には突起状の当接部を有し、
前記二次弁用ばねと前記二次弁用弁体と前記二次弁用弁座とで前記二次弁が構成されることを特徴とする二次弁の機能をロックするロック組立て体。
【請求項２】
前記中空状ピストンは、トリガーの揺動運動により軸方向に往復動することを特徴とする請求項１に記載の二次弁の機能をロックするロック組立て体。
【請求項３】
請求項１に記載の二次弁の機能をロックするロック組立て体を組み込んだことを特徴とするトリガー式ポンプディスペンサ。
【請求項４】
二次弁の機能をロックするロック組立て体を組み込んだトリガー式ポンプディスペンサであって、
前記二次弁の機能をロックするロック組立て体を組み込むシリンダ部が本体に形成され、
前記シリンダ部の底部に開口する流路が形成されるとともに前記流路に対向する位置に一次弁が配置され、
前記本体にヒンジを介してトリガーが揺動可能に取り付けられ、
前記二次弁の機能をロックするロック組立て体は、ノズルと中空状ピストンとスピンナーアッセンブリとから構成され、
前記ノズルのめねじ部が前記中空状ピストンの外周のおねじ部にねじ込まれ、
前記スピンナーアッセンブリが前記中空状ピストンの中空部内に軸方向に移動可能に嵌め込まれ、
前記スピンナーアッセンブリは、二次弁用ばねを介してスピンナーと二次弁用弁体が一体的に連結されて構成され、
前記二次弁用弁体は前記中空状ピストンの先端部に形成された二次弁用弁座に対向しており、
前記二次弁用ばねは蛇行状に形成されており、この蛇行状に形成された対向する各部分には突起状の当接部を有し、
前記二次弁用ばねと前記二次弁用弁体と前記二次弁用弁座とで前記二次弁が構成され、  前記中空状ピストンは、トリガーの揺動運動により軸方向に往復動することを特徴とするトリガー式ポンプディスペンサ。
【発明の詳細な説明】
【技術分野】
【０００１】
本発明は、二次弁の機能をロックするロック組立て体、及びこのロック組立て体を組み込んだトリガー式ポンプディスペンサに関する。
【背景技術】
【０００２】
従来、トリガー式ポンプディスペンサは、液体の入った容器の口部に取り付けられているため、容器にうっかり触れて倒した場合、トリガーが何かに当たって液体を流出させ、不測の事故を招くことがある。
また、乳幼児等の子供が誤ってトリガーを引くと、流出した液体が肌に付いたり極端には目に入ったりして、事故が生じるおそれがある。
このような事故を防止するために、いわゆる事故防止機構がトリガー式ポンプディスペンサに設けられている。
【０００３】
上記の事故防止機構として、トリガーそのものをロックしてトリガーの揺動を強制的に防止するものや、ノズルのオリフィスをノズルカバーで覆うもの等がある。
【０００４】
また、上記のトリガーそのものをロックしてトリガーの揺動を強制的に防止するものや、上記のノズルのオリフィスをノズルカバーで覆うものとは異なったタイプで、二次弁の機能をロックするものが、提案されている（特許文献１参照）。
【０００５】
そして、特許文献１の二次弁の機能をロックするものは、以下のような構造である。
すなわち、トリガー式ポンプディスペンサ用の噴射ノズルバルブは、バネ部と、該バネ部の一端側に形成されたスピンナー部と、前記バネ部の他端側に形成されたバルブ部と、を有し、一体成形されたものであって、前記スピンナー部には、前記バネ部に沿って前記バルブ部側に延出するスピンナー腕部が形成され、前記バルブ部には、前記バネ部に沿って前記スピンナー部側に延出するバルブ腕部が形成され、スピンナー腕部とバルブ腕部とが相互に切り離し可能に連結されている。
さらに、上記噴射ノズルバルブは、シリンダ部材内に軸方向に移動可能に嵌め込まれ、シリンダ部材の外周部のおねじ部に捩込みノズルのめねじ部を螺合し、捩込みノズルを捩込み方向に回転させて噴射ノズルバルブを液体流出方向と逆方向に移動させ、バルブ部の球面をシリンダ部材の弁座部に当接してバルブ機能をロックすることができることができる。
また、バルブ機能をアンロックするには、捩込みノズルを逆回転させることで、バルブ部の球面のシリンダ部材の弁座部への押圧が解除される。
【先行技術文献】
【特許文献】
【０００６】
【特許文献１】特開２００７−１３６３０６号公報
【発明の概要】
【発明が解決しようとする課題】
【０００７】
しかしながら、上記特許文献１記載の、捩込みノズルと、シリンダ部材と、噴射ノズルバルブと、から構成され二次弁の機能をロックするロック組立て体では、各部部品の累積誤差によりロック性能にバラツキが出易い、という問題がある。
また、二次弁の機能をロック状態にするときの、捩込みノズルの端部が当接する箇所をシリンダ部材に正確に設けなければならない、という問題もある。
【０００８】
なお、上記特許文献１記載の捩込みノズルと、シリンダ部材と、噴射ノズルバルブは、以下に説明する本発明では、それぞれ、ノズル３２、中空状ピストン３３、スピンナーアッセンブリ３４に対応するものである。
【０００９】
本発明は、上記事情に鑑みてなされたものであり、二次弁のロック性能にバラツキが少ない、二次弁の機能をロックするロック組立て体、及びこのロック組立て体を組み込んだトリガー式ポンプディスペンサを提供することを目的とする。
【課題を解決するための手段】
【００１０】
本発明者は、上記課題を解決するため鋭意検討したところ、上記の対策として、二次弁の機能をロック状態にするときの、二次弁用ばねの圧縮量を一定にすることにより、上記課題を解決できることを見出し、本発明を完成させるに至った。
【００１１】
すなわち、本発明は、（１）、ノズルと中空状ピストンとスピンナーアッセンブリとから構成される二次弁の機能をロックするロック組立て体であって、前記ノズルのめねじ部が前記中空状ピストンの外周のおねじ部にねじ込まれ、前記スピンナーアッセンブリが前記中空状ピストンの中空部内に軸方向に移動可能に嵌め込まれ、前記スピンナーアッセンブリは、二次弁用ばねを介してスピンナーと二次弁用弁体が一体的に連結されて構成され、前記二次弁用弁体は前記中空状ピストンの先端部に形成された二次弁用弁座に対向しており、前記二次弁用ばねは蛇行状に形成されており、この蛇行状に形成された対向する各部分には突起状の当接部を有し、前記二次弁用ばねと前記二次弁用弁体と前記二次弁用弁座とで前記二次弁が構成される二次弁の機能をロックするロック組立て体に存する。
【００１２】
本発明は、（２）、前記中空状ピストンは、トリガーの揺動運動により軸方向に往復動する上記（１）に記載の二次弁の機能をロックするロック組立て体に存する。
【００１３】
本発明は、（３）、上記（１）に記載の二次弁の機能をロックするロック組立て体を組み込んだトリガー式ポンプディスペンサに存する。
【００１４】
本発明は、（４）、二次弁の機能をロックするロック組立て体を組み込んだトリガー式ポンプディスペンサであって、前記二次弁の機能をロックするロック組立て体を組み込むシリンダ部が本体に形成され、前記シリンダ部の底部に開口する流路が形成されるとともに前記流路に対向する位置に一次弁が配置され、前記本体にヒンジを介してトリガーが揺動可能に取り付けられ、前記二次弁の機能をロックするロック組立て体は、ノズルと中空状ピストンとスピンナーアッセンブリとから構成され、前記ノズルのめねじ部が前記中空状ピストンの外周のおねじ部にねじ込まれ、前記スピンナーアッセンブリが前記中空状ピストンの中空部内に軸方向に移動可能に嵌め込まれ、前記スピンナーアッセンブリは、二次弁用ばねを介してスピンナーと二次弁用弁体が一体的に連結されて構成され、前記二次弁用弁体は前記中空状ピストンの先端部に形成された二次弁用弁座に対向しており、前記二次弁用ばねは蛇行状に形成されており、この蛇行状に形成された対向する各部分には突起状の当接部を有し、前記二次弁用ばねと前記二次弁用弁体と前記二次弁用弁座とで前記二次弁が構成され、前記中空状ピストンは、トリガーの揺動運動により軸方向に往復動するトリガー式ポンプディスペンサに存する。
【発明の効果】
【００１５】
本発明に係る二次弁のロック組立て体、及びこのロック組立て体を組み込んだトリガー式ポンプディスペンサによれば、以下のような効果を有する。
【００１６】
本発明に係る前記二次弁のロック組立て体は、前記ノズルのめねじ部が前記中空状ピストンの外周のおねじ部にねじ込まれ、前記スピンナーアッセンブリが前記中空状ピストンの中空部内に軸方向に移動可能に嵌め込まれ、前記スピンナーアッセンブリは、二次弁用ばねを介してスピンナーと二次弁用弁体が一体的に連結されて構成され、前記二次弁用弁体は前記中空状ピストンの先端部に形成された二次弁用弁座に対向しており、前記二次弁用ばねは蛇行状に形成されており、この蛇行状に形成された対向する各部分には突起状の当接部を有し、前記二次弁用ばねと前記二次弁用弁体と前記二次弁用弁座とで前記二次弁が構成されているので、前記ノズルを前記中空状ピストンに対してねじ込むことができなくなるまでねじ込むだけで、前記二次弁がロックされた状態となる。
そして、前記二次弁がロックされた状態では、不用意にトリガーが引かれても、液体がノズルの噴射口から噴射するおそれはなく、事故防止機構として有効に機能する。
また、前記二次弁のロック性能にバラツキが少ない利点もある。
【図面の簡単な説明】
【００１７】
【図１】図１は、本発明に係るトリガー式ポンプディスペンサにおいて、二次弁がロックされている状態で、トリガーを引く前の状態を示す縦断面図である。
【図２】図２は、本発明に係るトリガー式ポンプディスペンサにおいて、二次弁がアンロックされているが、トリガーを引く前の状態で、二次弁は閉じている状態を示す縦断面図である。
【図３】図３は、本発明に係るトリガー式ポンプディスペンサにおいて、二次弁がアンロックされているが、トリガーを引いた状態で、二次弁は開いている状態を示す縦断面図である。
【図４】図４は、本発明に係るトリガー式ポンプディスペンサにおいて、二次弁がアンロックされている状態で、トリガーを引き終わった状態で、二次弁は閉じている状態を示す縦断面図である。
【図５】図５は、本発明に係るトリガー式ポンプディスペンサの本体及びトリガーの縦断面図である。
【図６】図６は、本発明に係るトリガー式ポンプディスペンサの本体の一部分の拡大断面図である。
【図７】図７は、本発明に係るトリガー式ポンプディスペンサのカバーを示すもので、図７（Ａ）はその正面図、図７（Ｂ）はその側面断面図である。
【図８】図８は、中空状ピストンを示し、図８（Ａ）はその正面図、図８（Ｂ）はその側面断面図である。
【図９】図９は、本発明に係るトリガー式ポンプディスペンサに組み込まれる、ノズルとピストン部とスピンナーアッセンブリから構成される二次弁の機能をロックするロック組立て体（以下、単に、二次弁のロック組立て体３０という。）の断面図で、図９（Ａ）は二次弁がロックされている状態を示し、図９（Ｂ）は二次弁がアンロックされているが、二次弁は閉じている状態を示し、図９（Ｃ）は二次弁がアンロックされ、二次弁は開いている状態を示す。
【図１０】図１０は、二次弁のロック組立て体を構成するスピンナーアッセンブリの外観図である。
【図１１】図１１は、二次弁のロック組立て体を構成するノズルを示し、図１１（Ａ）は正面図、図１１（Ｂ）は側面図、図１１（Ｃ）は断面図である。
【図１２】図１２は、一次弁を示し、図１２（Ａ）は正面図、図１２（Ｂ）は断面図である。
【発明を実施するための形態】
【００１８】
以下、必要に応じて図面を参照しつつ、本発明の好適な実施形態について詳細に説明する。
【００１９】
図１〜図４は、本発明の、二次弁３１〔図１〜図４、及び図９（Ａ），図９（Ｂ），図９（Ｃ）参照〕の機能をロックするロック組立て体３０（以下、単に、二次弁のロック組立て体３０という。）を組み込んだトリガー式ポンプディスペンサ１０の一実施形態に示している。
図１〜図４に示すように、ロック組立て体３０を組み込んだトリガー式ポンプディスペンサ１０（以下、単に、トリガー式ポンプディスペンサ１０という。）は、本体部１１と、カバー２３（図７（Ａ），図７（Ｂ）参照）と、液体の入った容器（図示しない）の口部に螺合して取り付けられるキャップ２１と、サクションチューブ２０と、を有している。
なお、この取り付けは、螺合以外にバヨネット結合による取り付け構造も採用される。
【００２０】
本体部１１には、図１〜図４、及び図５，６に示すように、シリンダ部１６と、流路１７と、負圧解消シリンダ部１８と、が形成されている。
また、本体部１１には、図１〜図４、及び図５に示すように、ヒンジ部１３を介してトリガー１４が取り付けられている。
また、トリガー１４には、図５に示すように、復帰ばね１５の一端が取り付けられており、復帰ばね１５の他端は、図１〜図４に示すように、本体部１１の支持片１２に係止されるように取り付けられる。
また、トリガー１４には、図５に示すように、ヒンジ部１３から離れた位置に、後述する中空状ピストン３３の支軸３３ｄ（図８（Ａ）参照）がそれぞれ嵌め込まれる嵌合部１４ａ（図５参照）が形成されている。
【００２１】
トリガー式ポンプディスペンサ１０には、図１〜図４に示すように、後述する二次弁のロック組立て体３０が組み込まれている。
すなわち、二次弁のロック組立て体３０を構成する中空状ピストン３３がシリンダ部１６内を軸方向に移動可能に組み込まれており、負圧解消ピストン部３３ｅも負圧解消シリンダ部１８内を軸方向に移動可能に組み込まれている。
そして、図８（Ａ）に示すように、中空状ピストン３３には直径方向に２個の支軸３３ｄが突出して設けられており、この支軸３３ｄがトリガー１４の嵌合部１４ａ（図５参照）に嵌め込まれているので、中空状ピストン３３はトリガー１４の揺動運動により軸方向に往復動する。
すなわち、中空状ピストン３３の軸方向の往復動は、二次弁のロック組立て体３０の往復動を意味する。
【００２２】
トリガー式ポンプディスペンサ１０には、図１〜図４に示すように、シリンダ部１６の底部に一次弁２２（図１２（Ａ），図１２（Ｂ）参照）が組み込まれている。
そして、一次弁２２は、図１２（Ａ）に示すように、一次弁用弁体２２ａと、一次弁用弁体２２ａを付勢する板ばね部２２ｂとを備えている。
また、図６に示すように、シリンダ部１６の底部には、上下方向の流路１７と連通する左右方向の流路１６ａが開口しており、流路１６ａのまわりには一次弁用弁座１６ｂが形成されている。
【００２３】
次に、トリガー式ポンプディスペンサ１０の作動について説明する。
【００２４】
図１は、トリガー式ポンプディスペンサ１０において、二次弁３１がロックされている状態で、トリガー１４を引く前の状態を示す縦断面図である。
図１の状態では、二次弁３１がロックされている状態、すなわち、二次弁３１が機能しない状態であるので、仮にトリガー１４を引いても液体は噴出しない。
次に、図２の状態は、詳しくは後述するが、ノズル３２を緩めるように（図でいう左方向に）操作して、二次弁３１がアンロックされている状態、すなわち、二次弁３１が機能する状態にあることを示し、トリガー１４を引く前の状態を示している。
尚、アンロックされている状態では空間Ｓ（図１０参照）が形成されている。
次に、図３の状態は、二次弁３１がアンロックされている状態、すなわち、二次弁３１が機能する状態にあることを示し、トリガー１４を引いた状態で、液体の内圧が発生し液体が噴出する。
トリガー１４を引くと、トリガー１４の動きに連動して中空状ピストン３３が右方向に押し込まれ、一次弁２２が閉じるとともに、シリンダ部１６内の液圧によって二次弁３１が開き、液体は中空状ピストン３３の中空部３３ｂ内を通って噴射口３２ｂから噴射される。
また、図３に示す状態では負圧解消ピストン部３３ｅは、負圧解消シリンダ部１８の奥まで移動しており、外気が空気流通路２４を通じて容器内に入り、負圧化を防止している。
次に、図４の状態は、トリガー１４を引き終わった状態で、シリンダ部１６内の液体の内圧がなくなり、二次弁用ばね３６により二次弁３１は閉じている状態を示している。
つまり、トリガー式ポンプディスペンサ１０の作動が終了した状態を示している。
また、図４の状態で、トリガー１４から手を離すと、復帰ばね１５の付勢力によりトリガー１４は元の位置、すなわち図２の状態に復帰する。
このトリガー１４の復帰に連動して中空状ピストン３３が左方向に移動すると、シリンダ部１６内が負圧となり、一次弁２２が開き、二次弁３１は閉じているので、サクションチューブ２０を通じてシリンダ部１６内に液体が吸い上げられる。
なお、中空状ピストン３３の左方向への移動と同時に負圧解消ピストン部３３ｅも負圧解消シリンダ部１８内を左方向へと移動し、外気との連通を遮断している。
つまり、トリガー１４から手を離すことで、図２の状態に戻り、次の動作の待機状態になる。
【００２５】
次に、二次弁のロック組立て体３０について説明する。
図９（Ａ），図９（Ｂ），図９（Ｃ）に示すように、二次弁のロック組立て体３０は、ノズル３２と中空状ピストン３３とスピンナーアッセンブリ３４とから構成される。
ノズル３２は、図１１（Ａ），図１１（Ｂ），図１１（Ｃ）に示すように、内周にめねじ部３２ａを、端部に噴射口３２ｂを、外周に滑り止め部３２ｃを有している。
中空状ピストン３３は、図８（Ａ），図８（Ｂ）に示すように、外周に上記めねじ部３２ａと螺合するおねじ部３３ａを有し、中心軸に沿って中空部３３ｂを有し、一端部に二次弁用弁座３３ｃを有し、直径方向に突出した二個の支軸３３ｄを有し、側方に延出するようにして負圧解消ピストン部３３ｅが一体的に設けられている。
また、スピンナーアッセンブリ３４は、図１０に示すように、二次弁用ばね３６を介してスピンナー３５と二次弁用弁体３７が一体的に連結されて構成されている。
また、二次弁用ばね３６は蛇行状に形成されており（すなわち帯体が繰り返し屈曲するように形成されており）、この蛇行状に形成された対向する各部分には突起状の当接部３６ａを有している。
そして、二次弁用ばね３６と二次弁用弁体３７と二次弁用弁座３３ｃとで二次弁３１が構成されている。
そして、ノズル３２のめねじ部３２ａが中空状ピストン３３の外周のおねじ部３３ａにねじ込まれ、スピンナーアッセンブリ３４が中空状ピストン３３の中空部３３ｂ内を軸方向に移動可能に嵌め込まれている。
二次弁用弁体３７は前記中空状ピストン３３の先端部に形成された二次弁用弁座３３ｃに対向している。
【００２６】
次に、二次弁のロック組立て体３０の操作について説明する。
図９（Ａ），図９（Ｂ），図９（Ｃ）は、二次弁のロック組立て体３０の断面図で、図９（Ａ）は、二次弁３１がロックされている状態を示し、図９（Ｂ）は、二次弁３１がアンロックされているが、二次弁３１は閉じている状態を示し、図９（Ｃ）は、二次弁３１がアンロックされ、二次弁３１は開いている状態を示す。
【００２７】
まず、二次弁３１をロック（すなわち二次弁３１の機能をオフにする）するには、図９（Ａ）に示すように、ノズル３２を中空状ピストン３３に対してねじ込んで、ノズル３２の内端面でスピンナーアッセンブリ３４のスピナー前端部３５ａ（図１０参照）を押し込むと、二次弁用弁体３７（図１０参照）が二次弁用弁座３３ｃ（図８（Ｂ）参照）に当接する。
さらに、続いてノズル３２をねじ込むと、二次弁用ばね３６の当接部３６ａ（図１０参照）同士が圧接し、二次弁用弁体３７も二次弁用弁座３３ｃに圧接した状態になり、これ以上ノズル３２を中空状ピストン３３に対してねじ込むことができなくなる。
この状態が二次弁３１がロックされた状態（図９（Ａ）に示す状態）である。
このように、二次弁３１がロックされた状態では、不用意にトリガー１４が引かれても、液体が噴出するおそれはなく、事故防止機構として有効に機能する。
【００２８】
次に、二次弁３１をアンロック（すなわち二次弁３１の機能をオンにする）するには、図９（Ｂ）に示すように、二次弁３１のロック状態（図９（Ａ）に示す状態）から、ノズル３２をねじ込む方向と逆方向に回転すると、当接部３６ａ同士の圧接状態、及び二次弁用弁体３７と二次弁用弁座３３ｃの圧接状態がともに解除され、二次弁３１がアンロックされた状態（図９（Ｂ）に示す状態）となる。
尚、この状態では当接部３６ａの間には空間Ｓが生じている。
このように、二次弁３１がアンロックされた状態では、二次弁用弁体３７が軸方向に（すなわち左右方向に）移動可能であり、液圧によって二次弁３１が機能する状態となっている。
【００２９】
次に、図９（Ｂ）に示すような、二次弁３１がアンロックされた状態（すなわち二次弁３１の機能がオンにされた状態）で、トリガー１４が引かれると、図９（Ｃ）に示すように、二次弁３１が開き、ノズル３２の噴射口３２ｂから液体が噴射する。
【００３０】
本発明の一実施形態係る二次弁のロック組立て体３０、及びこのロック組立て体３０を組み込んだトリガー式ポンプディスペンサ１０によれば、以下のような効果を有する。
【００３１】
本発明の一実施形態係る二次弁のロック組立て体３０、ノズル３２のめねじ部３２ａが中空状ピストン３３の外周のおねじ部３３ａにねじ込まれ、スピンナーアッセンブリ３４が中空状ピストン３３の中空部３３ｂ内に軸方向に移動可能に嵌め込まれ、スピンナーアッセンブリ３４は、二次弁用ばね３６を介してスピンナー３５と二次弁用弁体３７が一体的に連結されて構成され、二次弁用弁体３７は中空状ピストン３３の先端部に形成された二次弁用弁座３３ｃに対向しており、二次弁用ばね３６は蛇行状に形成されており、この蛇行状に形成された対向する各部分には突起状の当接部３６ａを有し、二次弁用ばね３６と二次弁用弁体３７と二次弁用弁座３３ｃとで二次弁３１が構成されているので、ノズル３２を中空状ピストン３３に対して、それ以上、ねじ込むことができなくなるまでねじ込むだけで、二次弁３１がロックされた状態となる。
そして、二次弁３１がロックされた状態では、不用意にトリガー１４が引かれても、液体がノズル３２の噴射口３２ｂから噴射するおそれはなく、事故防止機構として有効に機能する。
また、二次弁３１のロック性能にバラツキが少ない利点もある。
【符号の説明】
【００３２】
１０  トリガー式ポンプディスペンサ
１１  本体部
１２  復帰ばねの他端の支持片
１３  ヒンジ部
１４  トリガー
１４ａ  嵌合部
１５  復帰ばね
１６  シリンダ部
１６ａ  流路
１６ｂ  一次弁用弁座
１７  流路
１８  負圧解消シリンダ部
１９  流路
２０  サクションチューブ
２１  キャップ
２２  一次弁
２２ａ  一次弁用弁体
２２ｂ  一次弁用弁体を付勢する板ばね部
２３  カバー
２４  空気流通路
３０  二次弁のロック組立て体
３１  二次弁
３２  ノズル
３２ａ  めねじ部
３２ｂ  噴射口
３２ｃ  滑り止め部
３３  中空状ピストン
３３ａ  おねじ部
３３ｂ  中空部
３３ｃ  二次弁用弁座
３３ｄ  支軸
３３ｅ  負圧解消ピストン部
３４  スピンナーアッセンブリ
３５  スピンナー
３５ａ  スピナー前端部
３６  二次弁用ばね
３６ａ  当接部
３７  二次弁用弁体
【図１】
2013111564.tif 000003
【図２】
2013111564.tif 000004
【図３】
2013111564.tif 000005
【図４】
2013111564.tif 000006
【図５】
2013111564.tif 000007
【図６】
2013111564.tif 000008
【図７】
2013111564.tif 000009
【図８】
2013111564.tif 000010
【図９】
2013111564.tif 000011
【図１０】
2013111564.tif 000012
【図１１】
2013111564.tif 000013
【図１２】
2013111564.tif 000014